(57)【特許請求の範囲】
【請求項１】
インクを吐出するための複数のノズルを有する記録ヘッドと、
前記記録ヘッドを走査方向に走査させる走査手段と、
記録媒体を前記走査方向と交差する搬送方向に搬送する搬送手段と、
前記走査手段による走査を伴って前記記録ヘッドからインクを吐出するように前記記録ヘッドを制御する制御手段と、
前記記録ヘッドの記録時の位置と対向する位置であり、且つ、被記録時の前記記録媒体の裏面側の位置に設けられ、前記走査方向において前記記録媒体の前記走査方向における幅よりも大きい幅を有し、前記記録ヘッドから吐出されたインクを吸収可能な吸収体と、を備えたインクジェット記録装置であって、
前記インクジェット記録装置内の温度または湿度の少なくとも一方に関する情報を取得する第１の取得手段と、
前記第１の取得手段によって取得された前記情報に基づいて、前記記録媒体に対する記録を開始してから前記ノズルからのインクの吐出不良が発生するまでの時間に関する情報を取得する第２の取得手段と、
前記記録媒体に対する記録を開始してから前記記録媒体に対する記録を終了するまでの時間に関する情報を取得する第３の取得手段と、を有し、
前記制御手段は、（ｉ）前記第３の取得手段によって取得された前記情報が示す時間が前記第２の取得手段によって取得された前記情報が示す時間よりも短い場合、前記記録媒体にインクを吐出する前に前記吸収体にインクを吐出することなく前記搬送手段により搬送される前記記録媒体にインクを吐出し、（ｉｉ）前記第３の取得手段によって取得された前記情報が示す時間が前記第２の取得手段によって取得された前記情報が示す時間よりも長い場合、前記搬送手段により搬送される前記記録媒体が前記走査方向において通過しない領域と、前記搬送手段により搬送される前記記録媒体が通過する領域のうちの前記走査方向における中央部を含まず端部を含む領域と、に対応する前記吸収体上の所定の領域にインクを吐出した後、前記搬送手段により搬送される前記記録媒体にインクを吐出するように、インクの吐出を制御することを特徴とするインクジェット記録装置。
【請求項２】
前記制御手段は、前記第３の取得手段によって取得された前記情報が示す時間が前記第２の取得手段によって取得された前記情報が示す時間よりも長い場合、前記搬送手段により搬送される前記記録媒体にインクを吐出する際に前記搬送手段により搬送される前記記録媒体が前記走査方向において通過しない領域に対応する前記吸収体上の領域にインクを吐出するように、インクの吐出を制御することを特徴とする請求項１に記載のインクジェット記録装置。
【請求項３】
前記第１の取得手段は、少なくとも温度に関する情報を取得し、
前記第２の取得手段は、（ｉ）前記第１の取得手段によって取得された前記情報が示す温度が第１の温度である場合、前記記録媒体に対する記録を開始してから前記ノズルからのインクの吐出不良が発生するまでの時間として第１の時間に関する情報を取得し、（ｉｉ）前記第１の取得手段によって取得された前記情報が示す温度が前記第１の温度よりも高い第２の温度である場合、前記記録媒体に対する記録を開始してから前記ノズルからのインクの吐出不良が発生するまでの時間として前記第１の時間よりも短い第２の時間に関する情報を取得することを特徴とする請求項１または２に記載のインクジェット記録装置。
【請求項４】
前記第１の取得手段は、少なくとも湿度に関する情報を取得し、
前記第２の取得手段は、（ｉ）前記第１の取得手段によって取得された前記情報が示す湿度が第１の湿度である場合、前記記録媒体に対する記録を開始してから前記ノズルからのインクの吐出不良が発生するまでの時間として第３の時間に関する情報を取得し、（ｉｉ）前記第１の取得手段によって取得された前記情報が示す湿度が前記第１の湿度よりも高い第２の湿度である場合、前記記録媒体に対する記録を開始してから前記ノズルからのインクの吐出不良が発生するまでの時間として前記第３の時間よりも長い第４の時間に関する情報を取得することを特徴とする請求項１から３のいずれか１項に記載のインクジェット記録装置。
【請求項５】
前記制御手段は、（ｉ）前記第３の取得手段によって取得された前記情報が示す時間が前記第２の取得手段によって取得された前記情報が示す時間よりも長く、且つ、前記搬送方向における幅が第１の幅の記録媒体に対して記録を行う場合、第１の量のインクを前記吸収体上の前記所定の領域に吐出し、（ｉｉ）前記第３の取得手段によって取得された前記情報が示す時間が前記第２の取得手段によって取得された前記情報が示す時間よりも長く、且つ、前記搬送方向における幅が前記第１の幅よりも長い第２の幅の記録媒体に対して記録を行う場合、前記第１の量よりも多い第２の量のインクを前記吸収体上の前記所定の領域に吐出するように、インクの吐出を制御することを特徴とする請求項１から４のいずれか１項に記載のインクジェット記録装置。
【請求項６】
前記記録媒体を案内支持し、前記記録ヘッドの記録時の位置と対向する位置に設けられたプラテンをさらに備え、
前記吸収体は、前記プラテンと一体に設けられていることを特徴とする請求項１から５のいずれか１項に記載のインクジェット記録装置。
【請求項７】
記録ヘッドの複数のノズルからインクを吐出する記録工程と、
前記記録ヘッドを走査方向に走査させる走査工程と、
記録媒体を前記走査方向と交差する搬送方向に搬送する搬送工程と、
前記走査工程における走査を伴って前記記録ヘッドからインクを吐出するように前記記録ヘッドを制御する制御工程と、
前記記録ヘッドの記録時の位置と対向する位置で、且つ、被記録時の記録媒体の裏面側の位置において、前記走査方向において前記記録媒体の前記走査方向における幅よりも大きい幅の吸収体で、前記記録ヘッドから吐出されたインクを吸収する吸収工程と、
を有するインクジェット記録方法であって、
インクジェット記録装置内の温度または湿度の少なくとも一方に関する情報を取得する第１の取得工程と、
前記第１の取得工程によって取得された前記情報に基づいて、前記記録媒体に対する記録を開始してから前記ノズルからのインクの吐出不良が発生するまでの時間に関する情報を取得する第２の取得工程と、
前記記録媒体に対する記録を開始してから前記記録媒体に対する記録を終了するまでの時間に関する情報を取得する第３の取得工程と、を更に有し、
前記制御工程では、（ｉ）前記第３の取得工程で取得された前記情報が示す時間が前記第２の取得工程で取得された前記情報が示す時間よりも短い場合、前記記録媒体にインクを吐出する前に前記吸収体にインクを吐出することなく前記搬送工程で搬送される前記記録媒体にインクを吐出し、（ｉｉ）前記第３の取得工程で取得された前記情報が示す時間が前記第２の取得工程で取得された前記情報が示す時間よりも長い場合、前記搬送工程で搬送される前記記録媒体が前記走査方向において通過しない領域と、前記搬送工程で搬送される前記記録媒体が通過する領域のうちの前記走査方向における中央部を含まず端部を含む領域と、に対応する前記吸収体上の所定の領域にインクを吐出した後、前記搬送工程で搬送される前記記録媒体にインクを吐出するように、インクの吐出を制御することを特徴とするインクジェット記録方法。
【発明の詳細な説明】
【技術分野】
【０００１】
本発明は記録ヘッドのインク吐出口からインク滴を吐出飛翔させ、これを被記録材に付着させて記録を行うインクジェット記録装置に関し、吐出不良などの画像劣化要因を低減するインクジェット記録装置に関する。
【背景技術】
【０００２】
近年、プリンタ、複写機、ファクシミリ等に用いられる記録装置に対する性能要求はますます高まってきており、高速記録、フルカラー記録のみに留まらず銀塩写真並みの高精細な画像記録が求められている。このような要求に対して、インクを吐出して記録を行うインクジェット方式を用いた記録装置（インクジェット記録装置）は微小なインク滴を高周波で吐出可能なため、高速記録、高画質記録といった点で他の記録方法を採用した記録装置に比べて優れている。
【０００３】
一般にインクジェット記録装置は、記録ヘッドおよびインクタンクを搭載するキャリッジ（ＣＲ）と、記録媒体を搬送する搬送手段と、これらを制御するための制御手段とを具備する。そして、複数の微細な吐出口からインク滴を吐出させる記録ヘッドを記録媒体の搬送方向（副走査方向）と直交する方向（主走査方向）にシリアルスキャンさせ、一方で非記録時に記録媒体を記録幅に等しい量で間欠搬送するものである。この記録方法は、記録信号に応じてインクを記録媒体上に吐出させて記録を行うものであり、ランニングコストが安く、静かな記録方式として広く用いられている。
【０００４】
ただし、インクジェット記録装置では、記録ヘッドの各吐出口からインクを飛翔させる際に、各吐出口近傍のインク環境条件によって経時的にインク中の溶媒分の蒸散が起こる。これによって真っ先に吐出すべき吐出口近傍では、インクの粘度が増加して吐出しにくい状態になってしまう。そのような状況で、濃度上昇したインク成分を吸引回復により置換する事無く不吐出の時間が長くなると、次に記録を行う際に、記録のためにインクを吐出しようとしても、正常な吐出が出来ない場合がある。このとき、不吐出時間に対してある環境下（温度、湿度）での不吐出時間に対する安定吐出を保証できる最大時間（以下、安定吐出時間ともいう）がインクジェット記録ヘッド性能を示す１つのパラメータとなっている。
【０００５】
しかし、最近では記録の更なる高性能化を実現するため、インクにも高発色性や高耐候性など高機能化が求められており、インク中の機能性添加物の量は増加する傾向にある。しかしこれら添加物の増加に伴い、インクの粘度もしくは水分蒸発による粘度上昇率が上がる場合が多く、安定吐出時間の低下が問題となっている。さらに、記録ヘッドの移動距離が長い記録を行う場合、安定吐出時間は増々長く要求される。たとえば、Ａ４サイズに対し、Ａ３サイズ、Ａ２サイズ、Ａ１サイズと記録ヘッドの主走査方向の距離が長くなるほど安定吐出時間は長く要求される。このような場合、使用するインクや記録ヘッドによっては、安定吐出時間が１スキャンに要する時間（以下、スキャン時間と称す）に満たない可能性がある。
【０００６】
これまでに記録ヘッドのノズル構造、インク組成、本体機構、シーケンスにより、この安定吐出時間を伸ばすための工夫は幾つか提案されている。例えば、予備吐出から記録までの時間を短縮するため、プラテン上で予備吐出を行う従来技術が存在する。しかし、裏写り防止のためリブを避けた位置に行う、記録媒体へのミスト付着を防止する、などの観点からプラテン上でも予備吐出を行う位置が制限され、十分な効果を得られない可能性がある。またそれ以外にも、記録ヘッドの主走査方向の移動速度を上げることで回避する方法が考えられる。
【０００７】
しかし、その際は同じ画像を形成するには記録ヘッドからインクを吐出させる駆動周波数もこれに伴って上昇させなければならなくなり、吐出のためのパルス幅、インクのリフィル速度などの観点からも限界がある。
【先行技術文献】
【特許文献】
【０００８】
【特許文献１】特開２００７−１４４６９８号公報
【発明の概要】
【発明が解決しようとする課題】
【０００９】
このような問題に対し、特許文献１では、蒸発促進機構を設けることで吐出口表面付近を加湿し、安定吐出時間を延長する技術が開示されている。特許文献１の蒸発促進機構は、プラテンの外側に固定配置されている。この場合、加湿効果は蒸発促進機構の上空を通過中にしか得られないため、記録媒体サイズによる最適化が困難である。例えばセンター給紙の場合では記録媒体サイズによっては記録領域と蒸発促進機構とが離れており、その間を記録ヘッドが移動している間には、インク中の水分は通常どおり蒸発してしまうため、全体として加湿による効果が低減してしまうという問題がある。
【００１０】
さらに、特許文献１では記録動作に直接寄与しない蒸発促進機構や、蒸発液用インクタンクの設置が必要なため、本体サイズ増大やコスト増大などの問題がある。また、蒸発液として廃インクを用いる場合はホーム側のキャップ脇にしか蒸発促進機構を設けることが出来ず、バックスキャン時は加湿効果を得ることが出来ない。
【００１１】
よって本発明は、高温低湿などインクの水分が蒸発し易い環境下でも、温湿度、記録モードに応じた制御でノズル口近傍の雰囲気を湿潤させ、廃インクの量やコストの増大を抑えつつ高記録品位の記録が可能なインクジェット記録装置を提供する事を目的とする。
【課題を解決するための手段】
【００１２】
そのため本発明のインクジェット記録装置は、インクを吐出するための複数のノズルを有する記録ヘッドと、前記記録ヘッドを走査方向に走査させる走査手段と、記録媒体を前記走査方向と交差する搬送方向に搬送する搬送手段と、前記走査手段による走査を伴って前記記録ヘッドからインクを吐出するように前記記録ヘッドを制御する制御手段と、前記記録ヘッドの記録時の位置と対向する位置であり、且つ、被記録時の前記記録媒体の裏面側の位置に設けられ、前記走査方向において前記記録媒体の前記走査方向における幅よりも大きい幅を有し、前記記録ヘッドから吐出されたインクを吸収可能な吸収体と、を備えたインクジェット記録装置であって、前記インクジェット記録装置内の温度または湿度の少なくとも一方に関する情報を取得する第１の取得手段と、前記第１の取得手段によって取得された前記情報に基づいて、前記記録媒体に対する記録を開始してから前記ノズルからのインクの吐出不良が発生するまでの時間に関する情報を取得する第２の取得手段と、前記記録媒体に対する記録を開始してから前記記録媒体に対する記録を終了するまでの時間に関する情報を取得する第３の取得手段と、を有し、前記制御手段は、（ｉ）前記第３の取得手段によって取得された前記情報が示す時間が前記第２の取得手段によって取得された前記情報が示す時間よりも短い場合、前記記録媒体にインクを吐出する前に前記吸収体にインクを吐出することなく前記搬送手段により搬送される前記記録媒体にインクを吐出し、（ｉｉ）前記第３の取得手段によって取得された前記情報が示す時間が前記第２の取得手段によって取得された前記情報が示す時間よりも長い場合、前記搬送手段により搬送される前記記録媒体が前記走査方向において通過しない領域と、前記搬送手段により搬送される前記記録媒体が通過する領域のうちの前記走査方向における中央部を含まず端部を含む領域と、に対応する前記吸収体上の所定の領域にインクを吐出した後、前記搬送手段により搬送される前記記録媒体にインクを吐出するように、インクの吐出を制御することを特徴とする。
【発明の効果】
【００１３】
本発明によればインクジェット記録装置のプラテン吸収体は、記録部から吐出された記録に寄与しないインクを蒸発させることによって、記録部が走査する空間を湿潤させる。これによって、高温低湿などインクの水分が蒸発し易い環境下でも、温湿度、記録モードに応じた制御でノズル口近傍の雰囲気を湿潤させ、廃インクの量やコストの増大を抑えつつ高記録品位の記録が可能なインクジェット記録装置を実現することができる。
【図面の簡単な説明】
【００１４】
【図１】第１の実施形態を適用可能なインクジェット記録装置示す外観斜視図である。
【図２】回復機構を示した斜視図である。
【図３】図１のインクジェット記録装置のプラテン吸収体を示した図である。
【図４】図１に示したインクジェット記録装置の制御構成を示すブロック図である。
【図５】図４の制御構成の温湿度検出に係る構成を示したブロック図である。
【図６】プラテン蒸発面の拡散層の厚さと中心から端部までの距離の関係を示したグラフである。
【図７】第１の実施形態における記録動作のフローチャートである。
【図８】第１の実施形態の記録装置が備えているテーブルを示した図である。
【図９】第１の実施形態の記録装置が備えている記録モードに関するテーブルである。
【図１０】インクジェット記録装置のプラテン吸収体付近の上面図である。
【図１１】インクジェット記録装置のプラテン吸収体付近の側面図である。
【図１２】（ａ）は湿潤領域と湿潤雰囲気であり、（ｂ）は記録媒体搬送範囲と湿潤領域が離れている場合の湿潤領域と湿潤雰囲気を模式的に示したものである。
【図１３】プラテン吸収体上の温湿度変化を示したグラフである。
【図１４】プラテン吸収体上の湿度時間経過を示したグラフである。
【図１５】第２の実施形態における湿潤領域の概略図である。
【発明を実施するための形態】
【００１５】
以下、図面を参照して本発明の第１の実施の態について説明する。  
【００１６】
＜インクジェット記録装置の説明＞
図１は、本実施形態を適用可能なインクジェット記録装置（以下、単に記録装置ともいう）の構成の概要を示す外観斜視図である。インクジェット記録装置は、記録媒体に対してインクを吐出することで記録を行うインクジェット方式を採用した記録ヘッド１がキャリッジ２に搭載されている。インクジェット記録装置における記録部である記録ヘッド１を搭載したキャリッジ２に、キャリッジモータ（不図示）によって発生する駆動力を伝え、キャリッジ２を矢印Ａ方向に往復移動させる。
【００１７】
このキャリッジ２とともに、例えば、記録紙などの記録媒体を給紙機構３を介して記録装置内に給紙し、記録位置まで搬送して、その記録位置において記録ヘッド１から記録媒体にインクを吐出することで記録が行われる。また、記録ヘッド１の状態を良好に維持するために、キャリッジ２を回復装置４の位置まで移動させ、間欠的に記録ヘッド１の吐出回復処理を行う。記録装置のキャリッジ２には記録ヘッド１を搭載するのみならず、記録ヘッド３に供給するインクを貯留するインクカートリッジ５を装着する。インクカートリッジ５はキャリッジ２に対して着脱自在になっている。
【００１８】
図１に示した記録装置は、カラー記録が可能である。そのためキャリッジ２は、シアン（Ｃ）、ライトシアン（Ｌｃ）、マゼンタ（Ｍ）、ライトマゼンタ（Ｌｍ）、イエロー（Ｙ）、フォトブラック（Ｐｂｋ）、マットブラック（Ｍｂｋ）、レッド（Ｒ）、グリーン（Ｇ）およびグレー（Ｇｒａｙ）の顔料インクをそれぞれ収容した１０個のインクカートリッジを搭載している。これら１０個のインクカートリッジは独立に着脱可能である。
【００１９】
さて、キャリッジ２と記録ヘッド１とは、両部材の接合面が適正に接触されて所要の電気的接続を達成維持できるようになっている。記録ヘッド１は、記録信号に応じてエネルギーを印加することにより、複数の吐出口からインクを選択的に吐出して記録する。特に、本実施形態の記録ヘッド１は、熱エネルギーを利用してインクを吐出するインクジェット方式を採用している。記録ヘッド１は、熱エネルギーを発生するための電気熱変換体を備え、電気熱変換体に印加される電気エネルギーが熱エネルギーに変換され、その熱エネルギーをインクに与えることで生じる気泡の成長、収縮に伴う圧力変化を利用して吐出口からインクを吐出する。この電気熱変換体は各吐出口のそれぞれに対応して設けられ、記録信号に応じて対応する電気熱変換体にパルス電圧を印加することによって対応する吐出口からインクを吐出する。
【００２０】
キャリッジ２は、キャリッジモータの駆動力を伝達する駆動ベルト６の一部に連結されており、ガイドシャフト７に沿って矢印Ａ方向に摺動自在に案内支持されるようになっている。従って、キャリッジ２は、キャリッジモータの正転および逆転によってガイドシャフト７に沿って往復移動する。
【００２１】
また、キャリッジ２の移動方向（矢印Ａ方向）に沿ってキャリッジ２の絶対位置を示すためのエンコーダ８が備えられている。本実施形態では、エンコーダ８は透明なＰＥＴフィルムに、必要なピッチで黒色のバーを印刷したものを用いており、その一方はシャーシ（不図示）に固着され、他方は板バネ（不図示）で支持されている。また、記録装置には、記録ヘッド１の吐出口（不図示）が形成された吐出口面に対向してプラテン９が設けられている。
【００２２】
キャリッジモータの駆動力によってキャリッジ２が往復移動されると同時に、記録ヘッド１に記録信号を与えてインクを吐出することで、プラテン上に搬送された記録媒体の全幅にわたって記録が行われる。
【００２３】
さらに搬送ローラ１０は、記録媒体を搬送するために搬送モータ（不図示）によって駆動される。ピンチローラ１１は、バネ（不図示）により記録媒体を搬送ローラ１０に当接しており、ピンチローラホルダ１２によって回転自在に支持されている。搬送ローラギア１３は、搬送ローラ１０の一端に固着されている。そして、搬送ローラギア１３に中間ギア（不図示）を介して伝達された搬送モータの回転により、搬送ローラ１０が駆動される。排出ローラ１４は、記録ヘッド１によって画像が形成された記録媒体を記録装置の外へ排出するローラであり、搬送モータの回転が伝達されることで駆動されるようになっている。
【００２４】
なお、排出ローラ１４は記録媒体をバネ（不図示）により圧接する拍車ローラ（不図示）により当接する。拍車ホルダ１５は、拍車ローラを回転自在に支持している。記録装置には、記録ヘッド１を搭載するキャリッジ２の記録動作のための往復運動の範囲外（記録領域外）の所望位置（例えば、ホームポジションに対応する位置）に、記録ヘッド３の吐出不良を回復するための回復装置４が配設されている。
【００２５】
図２は、回復機構４を示した斜視図である。回復装置４は、記録ヘッド１の吐出口面をキャッピングするキャッピング機構１６と記録ヘッド１の吐出口面をクリーニングするワイピング機構１７とを備えている。そして回復装置４は、キャッピング機構１６による吐出口面のキャッピングに連動して回復装置内の吸引手段（吸引ポンプ等）により吐出口からインクを強制的に排出させ、記録ヘッド１のインク流路内の増粘したインクや気泡等を除去する吐出回復処理を行う。また、非記録動作時等には、記録ヘッド１の吐出口面をキャッピング機構１６によるキャッピングすることによって、記録ヘッド１を保護するとともにインクの蒸発や乾燥を防止することができる。
【００２６】
一方、ワイピング機構１７はキャッピング機構１６の近傍に配され、記録ヘッド１の吐出口面に付着したインク液滴を拭き取るようになっている。これらキャッピング機構１６およびワイピング機構１７により、記録ヘッド１のインク吐出状態を正常に保つことが可能となっている。
【００２７】
＜温湿度センサ＞
ここで、記録ヘッド１に取り付けられている温度センサおよび湿度センサについて説明する。本実施形態においては、記録ヘッド近傍（記録部近傍）の温度および湿度をセンサによって検知している。温度センサとしては記録ヘッド１に用いられている基板（以下。記録ヘッド基板と称す）に配置されたダイオードセンサを用いている。インクの温度を直接検出することは困難であるため、一般には、記録ヘッド基板の温度（以下、記録ヘッド温度と称す）を検出し、これをインクの温度として用いている。記録ヘッド温度を検出するための構成としては、ダイオードセンサ以外に、例えば、金属薄膜センサ等を用いてもよい。
【００２８】
湿度センサとしては、吸湿性物質として塩化リウチム・セラミックス・高分子などを使用し、水蒸気量の変化を電気抵抗や電気容量など電気的な変化として測定する湿度計を用いている。ただし、温度センサおよび湿度センサとしてはこれらに限定されるものではない。また、キャリッジ２に用いられている基板（以下、キャリッジ基板と称す）上には、サーミスタが取り付けられており、環境温度を読み取ることができる。ダイオードセンサを持たないインクジェット記録装置の場合は、温度として環境温度を使用しても良い。
【００２９】
ここで、本実施形態で説明する湿度とは相対湿度のことであり、以下の式で定義される。
Ｕｗ＝ｘｖ／ｘｖｓ×１００＝ｅ／ｅｓ×１００≒ｅ／ｅｗ×１００
Ｖ    ：湿潤空気の体積  
Ｔ，ｔ：湿潤空気の温度
Ｔ    ：湿潤空気の温度（絶対温度）
ｔ    ：湿潤空気の温度（セルシウス温度）
ｍｖ  ：湿潤空気中の水蒸気の質量
ｅｓ  ：飽和湿潤空気の水蒸気圧
ｅｗ  ：水の飽和蒸気圧
ｘｖ  ：湿潤空気の水のモル分率
ｘｖｓ：飽和湿潤空気の水のモル分率
【００３０】
＜プラテン＞
プラテン９について説明する。プラテン９は記録ヘッド１に対して、所定の間隙を介して対向しており、その中央部には記録ヘッド１の走査方向（矢印Ａ方向）に延在する溝が形成されている。この溝には、ＭＡＰＳ（多孔質体）などからなる吸収体が埋設されており、記録ヘッド１の各ノズルから吐出されたインクを受容可能となっている。本実施形態において、プラテン９は、記録媒体に対する記録時に記録ヘッド１の吐出口面に対して対向する位置であって、記録媒体の裏面側の位置に設けられている。そして、吸収体はプラテン９と一体に設けられている。本明細書において、この吸収体をプラテン吸収体と呼び、図３に示す。尚、この吸収体はスポンジでもよく、液体を保持できる材質であればよい。また、プラテン９の中央部には下方に向けて延在するインク導出路が形成されており、廃インク保持部に連通している。この廃インク保持体も多孔質体などのインクを吸収・保持可能な素材によって形成されおり、この廃インク保持部とその上方に設けられたプラテン吸収体とによりインク吸収部が構成されている。
【００３１】
図３は、本実施形態を適用可能なインクジェット記録装置のプラテン吸収体１８を示した図である。プラテン吸収体１８は、プラテン９における記録ヘッド１の走査方向（矢印Ａ方向）に沿って、プラテン９の一端から他端に亘って延在している。従って、記録ヘッド１から吐出されたインクは、概ねプラテン吸収体１８で受け止めることが可能になっている。
【００３２】
このように構成されたインク吸収部において、記録中の予備吐出や余白なし記録などによってプラテン吸収体１８の上面に吐出されたインクは、プラテン吸収体１８の毛管力によって吸収される。そして、プラテン吸収体１８に吸収されたインクは、インク導出路を経て下方の廃インク保持部に滴下され保持される。
【００３３】
＜制御構成＞
図４は、図１に示したインクジェット記録装置の制御構成を示すブロック図である。
本体制御回路１９は、ＣＰＵ２１、ゲートアレイ（Ｇ．Ａ．）２４、ＲＡＭ２３、ＲＯＭ２２を備えている。インタフェース２０は、外部装置２８から画像データを入力し、ＲＯＭ２２は、ＣＰＵ２１が実行する制御プログラムを格納しており、ＲＡＭ２３は、各種データ（画像データや記録ヘッドに供給される記録信号等）を保存する。従って、機能的にはＲＡＭ２３の一部が画像メモリ（後述）として割当てられる。ゲートアレイ（Ｇ．Ａ．）２４は。記録ヘッド１に対する記録信号の供給制御を行っており、インタフェース２０、ＣＰＵ２１、ＲＡＭ２３間のデータ転送制御も行う。モータドライバ２５、２６はそれぞれ搬送モータ、キャリッジモータを駆動するためのドライバである。
【００３４】
制御構成の動作を説明する。インタフェース２０に画像データが入るとゲートアレイ２４とＣＰＵ２１との間で画像データが記録信号に変換される。そして、モータドライバ２５、２６が駆動されると共に、ヘッドドライバ２７に送られた記録信号に従って記録ヘッド１が駆動され記録が行われる。
【００３５】
図５は、図４で示した制御構成の内、記録ヘッド１の温湿度検出に係る構成をさらに詳細に示した機能ブロック図である。制御回路１９は、例えば、イメージスキャナ、パソコン、ＣＡＤ等の外部装置２８から転送される画像データ（ＶＤＩ）に基づいて、記録ヘッド１を用いて、記録媒体に画像を記録するための制御を行ために必要な、信号の生成を行っている。本体制御回路１９は、上述したＣＰＵ２１、ＲＡＭ２３、ＲＯＭ２２に加え、エンコーダ８とのインタフェース（Ｉ／Ｏ）２９や機能的にはヘッド駆動信号生成部３０、画像メモリ３１、温湿度検知出力モニタ部３２を備えている。
【００３６】
温湿度検知出力モニタ部３２は、記録ヘッド１の温湿度センサ３３からのアナログ出力信号（ＳＥＮＤ）をデジタル信号に変換するＡ／Ｄ変換器を内蔵している。一方、記録ヘッド１はヘッド制御回路３４、ヒータ部３５、温湿度センサ３３から構成されている。ＣＰＵ２１は外部装置２８からシリアルに転送されてくる画像データ（ＶＤＩ）をインタフェース２０を介して受信すると共に、各メモリやＩ／Ｏ部等を含め記録装置全体の動作を制御している。
【００３７】
外部装置２８からシリアルに画像データ（ＶＤＩ）が転送されると、ＣＰＵ２８からの命令で、ヘッド駆動信号生成部３０では、画像データ（ＶＤＩ）を数走査記録分、画像メモリ３１に一時保持する。保持された画像データ（ＶＤＩ）には各種画像処理が施され、キャリッジ２の走査に合わせて記録ヘッド１に画像データ（ＶＤＯ）が出力される。ヘッド駆動信号生成部３０は、図４に示した構成との関係では、ヘッドドライバ２７やゲートアレイ２４がこの機能を果たす。また、この機能を果たすためのＡＳＩＣが本体制御回路１９に実装されていても良い。
【００３８】
本実施形態では、エンコーダ８からキャリッジ２の走査に同期して出力されるエンコーダ信号（ＬＩＮＣＬ）を用いて、画像データ（ＶＤＯ）の出力等の各種制御の同期をとっている。ヘッド駆動信号生成部３０では、記録ヘッド１の各ブロックへのイネーブル信号（ＢＥＮＢ０〜１５）とヒータ駆動信号（ＨＥＮＢ）等のインクの吐出に必要な信号の生成も行なう。ヘッド駆動信号生成部３０から出力された画像信号（ＶＤＯ）、イネーブル信号（ＢＥＮＢ０〜１５）、ヒータ駆動信号（ＨＥＮＢ）等は、記録ヘッド１のヘッド制御回路３４に転送される。そして、記録ヘッド１では、イネーブル信号（ＢＥＮＢ０〜１５）とヒータ駆動信号（ＨＥＮＢ）と画像信号（ＶＤＯ）により選択された記録要素のヒータのみがＯＮし、インクが吐出されて記録媒体に画像が形成される。
【００３９】
＜湿潤シーケンス＞
本実施形態では、プラテン吸収体１８に記録に寄与しないインクを吐出することで、プラテン吸収体１８に水分を含ませ、プラテン吸収体１８から蒸発する水分によってプラテン吸収体１８周囲の雰囲気を湿潤させる。そして、その湿潤した雰囲気によって記録ヘッドのノズルが湿潤され、吐出不良や不吐出を抑制する。
【００４０】
図６は、プラテン吸収体１８における水平上向き蒸発面の拡散層の厚さδと、水分を含んだ領域における中心から端部までの距離ｘとの関係である。水分を含んだ領域の中心から端部までの距離が長いほど、中心付近の拡散層の厚さδが大きくなっていることが分かる。このことから、プラテン吸収体１８のより広い範囲に水分を供給することで拡散層が厚くなり、その結果、湿潤雰囲気がノズル口付近に触れる機会を増やすことができる。
【００４１】
図７は、本実施形態における記録動作のフローチャートである。このフローチャートに沿って本発明における湿潤シーケンスの実施形態を説明する。まず全体の流れを説明する。まず、ステップＳ００１で記録信号を受信したらステップＳ００２で温湿度センサの値を読み込み、次にステップＳ００３で記録モードを読み込み、その後、ステップＳ００４で記録中の予備吐出方法を決定する。ステップＳ００５で安定吐出時間、スキャン時間、総スキャン数を計算し、ステップＳ００６で、本発明における湿潤シーケンスの要否を判断する。ステップＳ００６で湿潤シーケンスが必要な場合は、ステップＳ００７に移行して湿潤させる領域を決定し、その後、ステップＳ００８で湿潤用のインク吐出を行う。インク吐出が完了したら、ステップＳ００９で給紙動作を行った後、ステップＳ０１０で通常の記録動作を行う。なお、ステップＳ００６で湿潤シーケンスが不要な場合は、ステップＳ００９に移行して給紙動作を行い、ステップＳ０１０で通常の記録動作を行う。
【００４２】
以下では上記湿潤シーケンスの各ステップごとに詳細を説明する。
【００４３】
ステップＳ００１（記録信号を受信）  
記録信号が受信されているか否か判断し、記録信号の入力がない場合は回復装置４に設けられたキャッピング機構１６の吸引回復用キャップにてキャッピングが行われる。記録信号の入力がある場合は以下の制御を実行する。
【００４４】
ステップＳ００２（温湿度の読み込み）  
図８は、本実施形態の記録装置が備えているテーブルを示した図である。記録ヘッド１の温湿度センサが温度および湿度を検知して、その検出結果から図８のテーブルを参照して安定吐出時間を求める。なお、ここでは本実施形態において最も安定吐出時間が短いインクであるイエローインク（Ｙｅ）の安定吐出時間を示している。図８のテーブルを参照すると、例えば温度３０℃、湿度１０％の環境での安定吐出時間は１．０ｓｅｃとなる。なお、本検討では温度として記録ヘッド温度（ダイオードセンサ値）を参照しているが、代わりに環境温度（サーミスタ値）を参照しても良い。
【００４５】
ステップＳ００３（記録モードの読み込み）  
図９は、本実施形態の記録装置が備えている記録モードに関するテーブルである。ドライバより送られてくる記録信号から記録媒体のサイズ、及び図９のような記録媒体の種類記録品位等の情報を含む記録モードを参照することで、記録中の予備吐出の制御方法を決定する。記録媒体のサイズに関する情報は、少なくとも記録ヘッドの走査方向における幅の情報を含む。ここで、本実施形態における予備吐出の駆動周波数は９ｋＨｚであり、１ノズルあたり９発の予備吐出を後述する予備吐出受けに対して行う。
【００４６】
ステップＳ００４（記録中の予備吐出方法を決定）  
予備吐出を行うタイミングを説明する。記録中の予備吐出は、あるインクが以下の式（１）を満たした場合に、次にキャリッジが折り返すタイミングで所定の位置にて行う。
（予備吐出からの経過時間）＞（安定吐出時間）−（スキャン時間）  ・・・（１）
【００４７】
例えばＡ３記録媒体を記録する場合では、記録中の予備吐出は１スキャン毎に左右のキャップおよび予備吐出受けに行う。なお本実施形態においては記録中のキャリッジ最大動作幅は４８０ｍｍとする。本実施形態においては、全てのインクを予備吐出周期が最短であるイエローインク（Ｙｅ）と同時のタイミングで予備吐出を行う。ただし、他色の予備吐出はイエローインク（Ｙｅ）と同時のタイミングで行っても良いし、それぞれのインクごとに（１）式を満たすタイミングで行っても良い。
【００４８】
ステップＳ００５（記録モードより安定吐出時間、スキャン時間、総スキャン数を算出）  
読み込んだ記録媒体のサイズ、及び記録媒体の種類、記録品位等の情報を含む記録モードより、１スキャンにおける所要時間（スキャン時間）と記録完了までに必要な走査回数（総スキャン数）を計算する。本実施形態で使用するインクジェット記録装置のプラテン吸収体１８付近の上面図を図１０に、側面図を図１１に示す。なお、インクジェット記録装置は１ノズル列あたり７６８個のノズルが１２００ｄｐｉ間隔で並んでいる記録ヘッドを有しているとする。ここで、本実施形態においてＡ３サイズ（２９７ｍｍ×４２０ｍｍ）の特殊紙を「品位１」で記録する場合の総スキャン数は概算で、
４２０ｍｍ÷（２５．４ｍｍ÷１２００ｄｐｉ×７６８）×１６パス≒４１３スキャン
となる。また、Ａ３サイズの記録媒体を記録する際のキャリッジ動作幅を４８０ｍｍとすると、スキャン時間は概算で、
４８０ｍｍ÷（２５．４ｍｍ×１５ｉｎｃｈ）＋（キャリッジ加減速項）≒１．３ｓｅｃ
となる。
【００４９】
ステップＳ００６（湿潤シーケンスの要否）  
温湿度、及び記録モードより算出した安定吐出時間、スキャン時間、総スキャン数より、湿潤シーケンスの要否を判断する。本実施形態においては、安定吐出時間がスキャン時間よりも短い場合に湿潤シーケンスを実施する。ただし、湿潤シーケンスを行う条件は上記場合に限定されるわけではない。例えば、記録媒体サイズが小さくスキャン時間が安定吐出時間よりも短い場合は、記録中に記録目的以外で使用するインクが最も少なくなるような制御を選択する。すなわち、「（湿潤シーケンスに用いるインク量）＋（湿潤シーケンスを行った場合の記録中予備吐出量）」が、「湿潤シーケンスを行わない場合の記録中予備吐出量」よりも少なくなる場合に、湿潤シーケンスを実行しても良い。安定吐出時間がスキャン時間よりも長い場合は、通常の記録動作を開始する。
【００５０】
ステップＳ００７（湿潤させる領域を決定）  
安定吐出時間がスキャン時間よりも短い場合は、給紙動作前に湿潤シーケンスを実行する。まず、湿潤シーケンスにて湿潤させるプラテン吸収体１８の領域を決定する。ここで、本発明者の検討では、湿潤しているプラテン吸収体１８上約４ｍｍを記録媒体が通過している場合、記録媒体上の雰囲気は周辺環境の温湿度に近づき、湿潤シーケンスによる効果が極端に薄れてしまうという結果が得られた。よって、廃インク削減のため、記録媒体の通過範囲を除いた領域のプラテン吸収体１８にのみインクを吐出することが好ましい。また、拡散層の厚さと中心からの距離について先述した通り、上記インク吐出範囲が広いほど、湿潤した雰囲気がノズル口付近に触れる機会が増すことは前述の通りである。なお、記録ヘッド１のノズルはプラテン吸収体１８上、約６ｍｍを走査している。よって記録媒体通過範囲と湿潤領域の間隔をゼロに近づける程、より効果的にノズル口付近の湿潤効果を得ることができる。
【００５１】
よって本実施形態では、キャリッジ動作範囲のうち、記録媒体通過範囲を除く領域に加え、記録媒体が通過する範囲の一部にもインクの吐出を行う。すなわち、印刷ジョブを受信すると、次に搬送される記録媒体のサイズに関する情報に基づいて、プラテン吸収体にインクを吐出する領域を決定する。そして、記録媒体が搬送される前に、プラテンに対して記録媒体の通過領域の内側までインクを吐出する。これにより、記録媒体が搬送された後も湿潤効果を得ることができる。
【００５２】
ここで、本実施形態では、記録媒体通過範囲の両側から５ｍｍ内側までインク吐出を行う。５ｍｍ内側までインク吐出を行うのは、本実施形態のインクジェット記録装置における、キャリッジ動作方向の記録媒体搬送誤差を考慮したものである。こうすることで、記録媒体通過範囲と湿潤領域の間隔を限りなくゼロに近づけることが可能である。ここで、図１２（ａ）は本実施形態の湿潤領域と湿潤雰囲気を、図１２（ｂ）は記録媒体搬送範囲と湿潤領域が離れている場合の湿潤領域と湿潤雰囲気を模式的に示したものである。また、点線部は湿潤雰囲気を表している。ここで、図１２（ａ）、（ｂ）では左右は概ね対象となっているため、左側部で湿潤効果の説明を行う。
【００５３】
図１２（ａ）の場合は、キャリッジが湿潤雰囲気を通過する間、すなわちＡの範囲を通過中に本シーケンスによる湿潤効果を受ける。一方図１２（ｂ）の場合は、キャリッジがＢの範囲を通過中は同様に湿潤効果を受けるが、Ｃの範囲を通過中は湿潤雰囲気を外れているため、湿潤効果を受けることができない。また、右側部でも同様である。よって図１２（ａ）のように記録媒体通過範囲と湿潤領域の間隔をゼロ以下にすることで、より広い範囲で湿潤効果を得ることができる。
【００５４】
このような制御により、湿潤シーケンスによって発生する無駄な廃インクの量を抑制しつつ、より効率的に湿潤効果を得ることができる。ここで、本実施形態のようにセンター給紙機構の場合は、図１２（ａ）、（ｂ）に表されるように、記録媒体通過範囲の両側の領域に対して湿潤シーケンスを行うことで、より広い範囲で湿潤効果を得る事ができる。また上記インク吐出動作は給紙前に行うことで、記録媒体へのインク付着のリスクを抑えつつ、記録媒体通過範囲も含め、所望の領域に対して湿潤シーケンスを実行することができる。
【００５５】
ステップＳ００８（湿潤用のインク吐出実行）  
ステップＳ００７で決定したプラテン吸収体１８の領域に対し、１ｃｍ2あたり０．０４１ｍｌのインク吐出を行う。本実施形態におけるインク滴の平均吐出量は３．２ｐｌであるので、発数に換算すると１ｃｍ2あたり１．２５×１０7発である。ここで本実施形態におけるインク吐出範囲（図５斜線部）は約１８ｃｍ2であるので、使用インク量は０．７２ｍｌ（２．２５×１０8発）となる。
【００５６】
図１３は、本実施形態における湿潤シーケンスを実施した場合の、プラテン吸収体１８上約６ｍｍ（以下、プラテン上空間ともいう）における温湿度の変化を示したグラフである。環境湿度は約１０％であったが、湿潤シーケンス実行後のプラテン上は約６０％まで加湿された。また付加的な効果として、蒸発熱が奪われることによりプラテン上空間の雰囲気の温度が低下することがあり、ノズル部（インク吐出部）の温度を低下させる効果も得られる。本実施形態では、環境温度約３１．７℃であったのに対し、湿潤シーケンス実行３分後のプラテン上空間は約３０．６度であった。上記より、温度が下がることでも若干ながらメニスカスからの水分蒸発が抑制されている。湿潤シーケンス開始直後以降のプラテン吸収体１８上約６ｍｍの湿度変化について説明する。
【００５７】
図１４は、本実施形態における湿潤シーケンス開始後のプラテン吸収体１８上約６ｍｍの湿度の時間経過の概略を示したグラフである。プラテン吸収体１８上約６ｍｍの湿度は湿潤シーケンス直後から上昇を始め、２秒経過後には約５０％にまで上昇している。その後６０％付近に安定し、少なくとも９分３０秒以上はその湿度を維持していた。ここで、本実施形態における湿潤シーケンスの所要時間は約４秒、給紙動作の所要時間は約２秒、記録所要時間は概算で８分５７秒である。
（記録所要時間）≒（総スキャン数）×（スキャン時間）≒８分５７秒
【００５８】
よって記録動作が開始されるのは湿潤シーケンス開始の６秒後であり、記録動作が終了するのは９分３秒後であるため、記録開始から記録終了までの間は湿潤効果が保たれている。以上の湿潤シーケンスにより、本実施形態の環境においては安定吐出時間が１．０ｓｅｃから約１．４５ｓｅｃに延長され、１スキャン内での正常な吐出を保証することができた。
【００５９】
ステップＳ００９（給紙動作）  
記録媒体の給紙を行う。
【００６０】
ステップＳ０１０（通常の記録動作）  
湿潤シーケンス実行後は給紙動作を行い、記録ヘッドを走査して通常の記録動作を行う。
【００６１】
（他の実施形態）
湿潤シーケンスにおけるインク吐出方法に関する他の実施形態（ステップＳ００７からステップＳ００８）
なお、前述の湿潤シーケンスにおけるインク吐出は、水モル分率が高く蒸発しやすいインクで行うことが好ましい。例えば、実施形態１のインクセットにおいては、ライトマゼンタ（Ｌｍ）、ライトシアン（Ｌｃ）、グレー（Ｇｒａｙ）を使用することが好ましい。
なお、前述の湿潤シーケンスにおけるインク吐出は、プラテン吸収体１８だけでなく、キャップ、予備吐出受けの両方もしくは片方にも行っても良い。また本実施形態においては、キャップ、予備吐出受けに対してもプラテン吸収体１８に対するインク吐出と同様、１ｃｍ2あたり０．０４ｍｌのインク吐出を行うが、使用するインク量はそれぞれで異なっていても良く、特に限定されるわけではない。
【００６２】
また、第１実施形態では、湿潤シーケンスを行った後に、記録媒体の給紙を行ったが、給紙のタイミングがこれに限るものではない。記録媒体が搬送され、搬送方向前方の端部が、プラテンと接触する前、もしくは、吸収体上に搬送される前に、湿潤シーケンスによる予備吐出が終わっていればよい。
【００６３】
また、記録媒体の搬送方向の長さが長いと、１枚の記録中に湿潤シーケンスによる湿潤効果が低下してしまう可能性がある。これに対し、記録媒体の搬送方向の長さに応じて湿潤シーケンスによる予備吐出の量を増減させることで湿潤効果を持続させることが可能である。例えば、搬送方向の長さが第１の長さの記録媒体に対して記録を行う前の湿潤シーケンスの予備吐出の量は、搬送方向の長さが第１の長さよりも短い第２の長さの記録媒体に対して記録を行う前の湿潤シーケンスの予備吐出の量よりも多くする。これにより、搬送方向の長さが長い記録媒体に対しても、湿潤効果を持続させながら記録を行うことが可能である。
【００６４】
また同様の理由から、読み込んだ記録媒体のサイズ、及び記録媒体の種類、記録品位等の記録条件の情報を含む記録モードより計算した、記録媒体１枚の記録所要時間に応じて、湿潤シーケンスによる予備吐出量を増減させても良い。すなわち、同じサイズの記録媒体に記録を行う場合であっても、パス数やキャリッジスピード等の記録条件によってはプラテン吸収体に付与すべきインク量を変更する必要がある。従って、記録を指示する情報に含まれる記録条件に基づいて記録媒体１枚の記録にかかる所要時間を取得し、インク量を変更してもよい。例えば、記録媒体１枚の記録所要時間が第１の時間である場合、記録所要時間が第１の時間よりも短い第２の時間である場合よりも記録を行う前の湿潤シーケンスにおける予備吐出の量を多くする。このような制御により、記録所要時間が長い記録条件のジョブを受信した場合でも、記録中の湿潤効果を持続させることが可能である。
【００６５】
このように、プラテン吸収体に対してインクを吐出して湿潤させ、そのプラテン吸収体から蒸発する水分で記録ヘッドのノズル部を湿潤させる。これによって、高温低湿などインクの水分が蒸発し易い環境下でも、温湿度、記録モードに応じた制御でノズル口近傍の雰囲気を湿潤させ、廃インクの量やコストの増大を抑えつつ高記録品位の記録が可能なインクジェット記録装置を実現することができた。
【００６６】
（第２の実施形態）
以下、図面を参照して本発明の第２の実施形態を説明する。なお、本実施形態の基本的な構成は第１の実施形態と同様であるため、以下では特徴的な構成についてのみ説明する。
【００６７】
第２の実施形態として、温湿度、記録モードにより、給紙動作前の湿潤シーケンスに加え、記録動作中に水分の追加補給を目的としたインク吐出を行う。記録動作中に水分の追加補給を目的としたインク吐出を実行する場合のインク吐出領域について説明する。本実施形態においては、キャリッジ動作範囲のうち、記録媒体通過範囲および記録媒体通過範囲の両側から５ｍｍ外側までを除いた領域に対してインク吐出を行う。ここで５ｍｍとは、本実施形態のインクジェット記録装置における、キャリッジ動作方向の記録媒体搬送誤差である。図１５に本実施形態における湿潤領域の概略図を示す。本制御により、記録媒体通過範囲と湿潤シーケンスにおけるインク吐出範囲が重なる事を回避し、記録媒体に余計なインクが付着する可能性を低減することができる。
【００６８】
このように、記録中にプラテン吸収体に対してインクを吐出して湿潤させ、そのプラテン吸収体から蒸発する水分で記録ヘッドのノズル部を湿潤させる。
これによって、高温低湿などインクの水分が蒸発し易い環境下でも、温湿度、記録モードに応じた制御でノズル口近傍の雰囲気を湿潤させ、廃インクの量やコストの増大を抑えつつ高記録品位の記録が可能なインクジェット記録装置を実現することができた。
【符号の説明】
【００６９】
１  記録ヘッド
２  キャリッジ
８  エンコーダ
９  プラテン
１８  プラテン吸収体
３３  温湿度センサ
【図１】
0005871516.tif 000002
【図２】
0005871516.tif 000003
【図３】
0005871516.tif 000004
【図４】
0005871516.tif 000005
【図５】
0005871516.tif 000006
【図６】
0005871516.tif 000007
【図７】
0005871516.tif 000008
【図８】
0005871516.tif 000009
【図９】
0005871516.tif 000010
【図１０】
0005871516.tif 000011
【図１１】
0005871516.tif 000012
【図１２】
0005871516.tif 000013
【図１３】
0005871516.tif 000014
【図１４】
0005871516.tif 000015
【図１５】
0005871516.tif 000016